(57)【要約】      （修正有）【課題】動作モードの切替えが可能なコイルを備える聴覚機器を提供する。【解決手段】電話通話音を伝達する通信モードと聴覚機器を充電する充電モードとを切替えることができるコイル２０２を備える聴覚機器１０２であって、コイルと、聴覚機器が無線通信端末１０１と通信する第１コイル動作モードまたは聴覚機器のバッテリを無線で充電する第２コイル動作モードのいずれか１つの動作モードを選択するコイル動作モード選択部２０３と、を備え、電磁誘導方式により外部機器から無線で電力供給を受け、電磁誘導方式により通話音を難聴者に伝達する。【選択図】図２
2014212683.tif 000002
【特許請求の範囲】
【請求項１】
聴覚機器であって、
コイルと、
前記聴覚機器が無線通信端末と通信する第１コイル動作モードまたは該聴覚機器のバッテリを無線で充電する第２コイル動作モードのいずれか１つの動作モードを選択するコイル動作モード選択部と、
を備えることを特徴とする聴覚機器。
【請求項２】
前記聴覚機器が電磁誘導により無線通信端末の通話音を伝達する第１通信経路または該聴覚機器が音声通信により無線通信端末の通話音を伝達する第２通信経路のいずれか１つの通信経路を選択する通信経路選択部をさらに備えることを特徴とする請求項１に記載の聴覚機器。
【請求項３】
前記聴覚機器のバッテリを充電する第１バッテリ動作モードまたは前記バッテリを放電する第２バッテリ動作モードのいずれか１つのバッテリ動作モードを選択するバッテリ動作モード選択部をさらに備えることを特徴とする請求項１に記載の聴覚機器。
【請求項４】
聴覚機器であって、
コイルと、
前記聴覚機器が無線通信端末と通信する第１コイル動作モードまたは該聴覚機器のバッテリを無線で充電する第２コイル動作モードのいずれか１つの動作モードを選択するコイル動作モード選択部と、
前記聴覚機器が電磁誘導により無線通信端末の通話音を伝達する第１通信経路または該聴覚機器が音声通信により無線通信端末の通話音を伝達する第２通信経路のいずれか１つの通信経路を選択する通信経路選択部と、
前記聴覚機器のバッテリを充電する第１バッテリ動作モードまたは前記バッテリを放電する第２バッテリ動作モードのいずれか１つのバッテリ動作モードを選択するバッテリ動作モード選択部と、を備えることを特徴とする聴覚機器。
【請求項５】
前記コイルは、電力供給装置から電磁誘導方式または共振方式のいずれか１つに基づいて電力の供給を受けることを特徴とする請求項１又は４に記載の聴覚機器。
【請求項６】
前記コイルが共振方式を用いて電力の供給を受ける場合、
前記聴覚機器は、該聴覚機器のコイルと前記電力供給装置のコイルとの間の共振を可能にするインピーダンスマッチングを行う充電部をさらに備えることを特徴とする請求項５に記載の聴覚機器。
【請求項７】
前記聴覚機器は、前記コイル動作モード選択部の制御信号を生成するプロセッサをさらに備えることを特徴とする請求項１又は４に記載の聴覚機器。
【請求項８】
前記聴覚機器は、該聴覚機器を無線充電するか否かを知らせる識別情報をセンシングするセンシング部をさらに備え、
前記プロセッサは、前記識別情報により制御信号を生成することを特徴とする請求項７に記載の聴覚機器。
【請求項９】
前記識別情報は、前記聴覚機器に備えられた充電ボタンが手動で設定されたか否かを示すことを特徴とする請求項８に記載の聴覚機器。
【請求項１０】
前記識別情報は、前記聴覚機器に無線で電力を供給する電力供給装置が作動するか否かを示すことを特徴とする請求項８に記載の聴覚機器。
【請求項１１】
前記識別情報は、前記聴覚機器が一定時間の間横になっているか否かまたは一定時間の間に動きがないか否かを示すことを特徴とする請求項８に記載の聴覚機器。
【請求項１２】
前記コイルで生成される電流信号を用いて前記コイル動作モード選択部の制御信号を生成するモニタリング部をさらに備えることを特徴とする請求項１又は４に記載の聴覚機器。
【請求項１３】
前記モニタリング部は、前記電流信号が通話音を伝達する信号であるかまたはバッテリを充電する信号であるかを区分する基準値を用いて制御信号を生成することを特徴とする請求項１２に記載の聴覚機器。
【発明の詳細な説明】
【技術分野】
【０００１】
本発明は、コイルを備える聴覚機器に関し、より詳しくは、電話通話音を伝達する通信モードと聴覚機器を充電する充電モードとを切替えることができるコイルを備える聴覚機器に関する。
【背景技術】
【０００２】
最近、一部の聴覚機器は、Ｎｉ−ＭＨ２次バッテリを備え、外部機器から無線で充電することができる。このため、聴覚機器は、外部機器から無線で電力を伝送するためのコイルまたはＰＣＢ（プリント回路基板）上のアンテナパターンが必要である。この場合、聴覚機器は、電磁誘導方式により外部機器から無線で電力供給を受ける。
【０００３】
一方、聴覚機器は、電話機から伝達される音声を難聴者に伝達するコイルを含む。電話通話のために用いられるコイルは、電磁誘導方式により通話音を難聴者に伝達する。
【０００４】
従来、聴覚機器は、無線充電機能のためのコイルと通話音伝達機能のためのコイルを別々に備えなければならず、このため、聴覚機器の材料費が増加すると共に聴覚機器の小型化も困難になるという問題があった。
【発明の概要】
【発明が解決しようとする課題】
【０００５】
本発明は、上記従来の問題点に鑑みてなされたものであって、本発明の目的は、聴覚機器内に動作モードの切替え回路を具現して、通信に用いられるコイルを無線充電にも使用可能にする聴覚機器を提供することにある。
【課題を解決するための手段】
【０００６】
上記目的を達成するためになされた本発明の一態様による聴覚機器は、コイルと、前記聴覚機器が無線通信端末と通信する第１コイル動作モードまたは該聴覚機器のバッテリを無線で充電する第２コイル動作モードのいずれか１つの動作モードを選択するコイル動作モード選択部と、を備えることを特徴とする。
【０００７】
前記聴覚機器は、前記聴覚機器が電磁誘導により無線通信端末の通話音を伝達する第１通信経路または該聴覚機器が音声通信により無線通信端末の通話音を伝達する第２通信経路のいずれか１つの通信経路を選択する通信経路選択部をさらに備えることができる。
前記聴覚機器は、前記聴覚機器のバッテリを充電する第１バッテリ動作モードまたは前記バッテリを放電する第２バッテリ動作モードのいずれか１つのバッテリ動作モードを選択するバッテリ動作モード選択部をさらに備えることができる。
【０００８】
上記目的を達成するためになされた本発明の他の態様による聴覚機器は、コイルと、前記聴覚機器が通信端末と通信する第１コイル動作モードまたは該聴覚機器のバッテリを無線で充電する第２コイル動作モードのいずれか１つの動作モードを選択するコイル動作モード選択部と、前記聴覚機器が電磁誘導により無線通信端末の通話音を伝達する第１通信経路または該聴覚機器が音声通信により無線通信端末の通話音を伝達する第２通信経路のいずれか１つの通信経路を選択する通信経路選択部と、前記聴覚機器のバッテリを充電する第１バッテリ動作モードまたは前記バッテリを放電する第２バッテリ動作モードのいずれか１つのバッテリ動作モードを選択するバッテリ動作モード選択部と、を備えることを特徴とする。
【０００９】
前記コイルは、電力供給装置から電磁誘導方式または共振方式のいずれか１つに基づいて電力の供給を受け得る。
前記コイルが共振方式を用いて電力の供給を受ける場合、前記聴覚機器は、該聴覚機器のコイルと前記電力供給装置のコイルとの間の共振を可能にするインピーダンスマッチングを行う充電部をさらに備えることができる。
前記聴覚機器は、前記コイル動作モード選択部の制御信号を生成するプロセッサをさらに備えることができる。
前記聴覚機器は、該聴覚機器を無線充電するか否かを知らせる識別情報をセンシングするセンシング部をさらに備えることができ、前記プロセッサは、前記識別情報によりコイル動作モード選択部及びバッテリ動作モード選択部を制御するための制御信号を生成し得る。
前記識別情報は、前記聴覚機器に備えられた充電ボタンが手動で設定されたか否かを示し得る。
前記識別情報は、前記聴覚機器に無線で電力を供給する電力供給装置が動作するか否かを示し得る。
前記識別情報は、前記聴覚機器が一定時間の間横になっているか否かまたは一定時間の間に動きがないか否かを示し得る。
前記聴覚機器は、前記コイルで生成される電流信号を用いて前記コイル動作モード選択部の制御信号を生成するモニタリング部をさらに備えることができる。
前記モニタリング部は、前記電流信号が通話音を伝達する信号であるかまたはバッテリを充電する信号であるかを区分する基準値を用いて制御信号を生成し得る。
【発明の効果】
【００１０】
本発明の、電話通話音を伝達する通信モードと、聴覚機器を充電する充電モードと、を切替えることができるコイルを含む聴覚機器によれば、切替え回路の具現によってコイルを通信と無線充電に共通して利用することで聴覚機器の小型化を可能にし、聴覚機器の生産単価を低減させることができる。
【図面の簡単な説明】
【００１１】
【図１】本発明の一実施形態による聴覚機器を示す図である。
【図２】本発明の一実施形態による聴覚機器の細部構成を示す図である。
【図３】本発明の他の実施形態による聴覚機器の細部構成を示す図である。
【図４】本発明の更に他の実施形態による聴覚機器の細部構成を示す図である。
【図５】本発明の一実施形態による電磁誘導方式の無線充電方式を説明するための図である。
【図６】本発明の一実施形態による共振方式の無線充電方式を説明するための図である。
【図７】本発明の一実施形態による聴覚機器の動作を示すフローチャートである。
【発明を実施するための形態】
【００１２】
以下、本発明を実施するための形態の具体例を、図面を参照しながら詳細に説明する。
【００１３】
図１は、本発明の一実施形態による聴覚機器を示す図である。
【００１４】
図１を参照すると、聴覚機器１０２は、マイク１０４、コイル１０５、スピーカ１０６、及びバッテリ１０７を備える。
【００１５】
聴覚機器１０２は、無線通信端末１０１と通信し、またバッテリ１０７を充電する。聴覚機器１０２は、ＰＡＴＨ  Ａ及びＰＡＴＨ  Ｂを介して無線通信端末１０１の通話音を難聴者に伝達する。すなわち、聴覚機器１０２は、通話音伝達機能を遂行する。
【００１６】
具体的に、ＰＡＴＨ  Ａによると、聴覚機器１０２は、無線通信端末１０１のスピーカ１０３の電流変化を検出し、コイル１０５を用いた電磁誘導方式により無線通信端末１０１の通話音を難聴者に伝達する。電磁誘導方式により伝達される無線通信端末１０１の通話音は、スピーカ１０６を介して難聴者に伝達される。
【００１７】
ここで、無線通信端末１０１は、聴覚機器１０２と近距離に位置すると仮定する。この場合、コイル１０５は、テレコイル（Ｔｅｌｅ−Ｃｏｉｌ）と同様の機能を行う。
【００１８】
また、ＰＡＴＨ  Ｂによると、聴覚機器１０２は、無線通信端末１０１のスピーカ１０３で発生する通話音をマイク１０４で受信した後、スピーカ１０６を介して難聴者に受信した通話音を伝達する。すなわち、聴覚機器１０２は、音響方式により難聴者に無線通信端末１０１の通話音を伝達する。
【００１９】
一方、聴覚機器１０２には、ＰＡＴＨ  Ｃを介して電力供給装置１０８から無線で電力が供給される。具体的には、聴覚機器１０２のコイル１０５と電力供給装置１０８のコイル１０９との間の電磁誘導方式または共振方式により無線で電力が供給される。他の例として、聴覚機器１０２は、電力供給装置１０８の他に無線通信端末１０１から無線で電力が供給されてもよい。具体的には、無線通信端末１０１に備えられたコイルと聴覚機器１０２のコイル１０５との間の電磁誘導方式または共振方式により無線で電力が供給される。
【００２０】
すなわち、聴覚機器１０２に備えられた１つのコイル１０５は、無線通信端末１０１との通話音伝達機能、無線充電機能、及び電力供給装置１０８との無線充電機能を全て行うことができる。そのために、本発明の実施形態による聴覚機器１０２は、コイル１０５の２種類の動作モードを切替える構成要素を含む。
【００２１】
図２は、本発明の一実施形態による聴覚機器の細部構成を示す図である。
【００２２】
図２を参照すると、聴覚機器１０２は、マイク２０１、コイル２０２、コイル動作モード選択部２０３、通信経路選択部２０４、アナログＡＭＰ（増幅器）２０５、ＡＤＣ（Ａ／Ｄコンバータ）２０６、プロセッサ２０７、ＤＡＣ（Ｄ／Ａコンバータ）２０８、スピーカ２０９、充電部２１０、供給部２１１、バッテリ動作モード選択部２１２、及びバッテリ２１３を備える。ここで、コイル動作モード選択部２０３、通信経路選択部２０４、及びバッテリ動作モード選択部２１２は、切替え回路によって具現される。
【００２３】
コイル動作モード選択部２０３は、聴覚機器１０２が無線通信端末１０１と通信する第１コイル動作モード、または聴覚機器１０２のバッテリ２１３を無線で充電する第２コイル動作モードのいずれか１つのコイル動作モードを選択する。第１コイル動作モードが選択されると、無線通信端末１０１のスピーカ１０３で発生する電流変化に応じてコイル２０２に電流が誘導される。
【００２４】
通信経路選択部２０４は、コイル２０２の電磁誘導方式により無線通信端末１０１の通話音を伝達する第１通信経路（ＰＡＴＨ  Ａ）、またはマイク２０１を介して無線通信端末１０１の通話音を伝達する第２通信経路（ＰＡＴＨ  Ｂ）のいずれか１つの通信経路を選択する。
【００２５】
バッテリ動作モード選択部２１２は、充電部２１０によって聴覚機器１０２のバッテリ２１３を充電する第１バッテリ動作モード、またはバッテリ２１３を放電させて供給部２１１に電力を供給する第２バッテリ動作モードのいずれか１つのバッテリ動作モードを選択する。
【００２６】
聴覚機器１０２が電磁誘導方式により無線通信端末１０１の通話音を伝達する場合（ケース１）、コイル動作モード選択部２０３は第１コイル動作モードを選択し、通信経路選択部２０４は第１通信経路（ＰＡＴＨ  Ａ）を選択する。この場合、コイル２０２には、無線通信端末１０１のスピーカ１０３で発生する電流変化を検出して電流が誘導される。電磁誘導により発生した電流信号は、アナログＡＭＰ２０５で増幅された後、ＡＤＣ２０６を経てデジタル信号に変換され、プロセッサ２０７及びＤＡＣ２０８を経てスピーカ２０９を介して難聴者に通話音として伝達される。
【００２７】
聴覚機器１０２がバッテリ２１３を無線で充電する場合（ケース２）、コイル動作モード選択部２０３は第２コイル動作モードを選択し、バッテリ動作モード選択部２１２は第１バッテリ動作モードを選択する。
【００２８】
ここで、コイル２０２は、電力供給装置（ソース共振器）１０８のコイル１０９または無線通信端末１０１に備えられたコイルから電磁誘導方式により電力の供給を受けるか、または共振方式により電力の供給を受ける。
【００２９】
聴覚機器１０２がマイク２０１を介して無線通信端末１０１の通話音を伝達する場合（ケース３）、通信経路選択部２０４は第２通信経路（ＰＡＴＨ  Ｂ）を選択する。この場合、マイク２０１により伝達された無線通信端末１０１の通話音は音声信号であり、音声信号はアナログＡＭＰ２０５によって増幅された後、ＡＤＣ２０６を経てデジタル信号に変換され、プロセッサ２０７及びＤＡＣ２０８を経てスピーカ２０９を介して難聴者に通話音が伝達される。
【００３０】
聴覚機器１０２がバッテリ２１３を放電させて供給部２１１に電力を供給する場合（ケース４）、第２バッテリ動作モードを選択する。この場合、バッテリ２１３は供給部２１１に電力を供給し、供給部２１１は聴覚機器１０２に電力を供給する。
【００３１】
すなわち、図２に示す聴覚機器１０２に備えられたコイル２０２は、切替えによって選択された無線充電機能と通話音伝達機能のいずれか１つの機能を行う。したがって、聴覚機器１０２は、無線充電機能のためのコイルと通話音伝達機能のためのコイルを別々に備える必要がないため小型化を具現することができ、追加的なコイルが不要であるため聴覚機器１０２の材料費が減少する。
【００３２】
図３は、本発明の他の実施形態による聴覚機器の細部構成を示す図である。
【００３３】
図３を参照すると、聴覚機器１０２は、マイク３０１、コイル３０２、コイル動作モード選択部３０３、通信経路選択部３０４、アナログＡＭＰ（増幅器）３０５、ＡＤＣ（Ａ／Ｄコンバータ）３０６、プロセッサ３０７、ＤＡＣ（Ｄ／Ａコンバータ）３０８、スピーカ３０９、充電部３１０、供給部３１１、バッテリ動作モード選択部３１２、バッテリ３１３、及びセンシング部３１４を備える。ここで、コイル動作モード選択部３０３、通信経路選択部３０４、及びバッテリ動作モード選択部３１２は、切替え回路によって具現される。
【００３４】
コイル動作モード選択部３０３、通信経路選択部３０４、及びバッテリ動作モード選択部３１２は、図２を参照して説明したコイル動作モード選択部２０３、通信経路選択部２０４、及びバッテリ動作モード選択部２１２と同様に動作する。
【００３５】
センシング部３１４は、聴覚機器を無線充電するか否かを知らせる識別情報をセンシングする。
プロセッサ３０７は、センシング部３１４の識別情報により、コイル動作モード選択部３０３及びバッテリ動作モード選択部３１２を制御するための制御信号を提供する。
一例として、ユーザが手動で聴覚機器１０２を充電する外部スイッチ（聴覚機器に備えられた充電ボタン：図示せず）を設定した場合、プロセッサ３０７は、センシング部３１４の識別情報によりコイル動作モード選択部３０３が第２コイル動作モードを選択する制御信号を生成する。
【００３６】
また、電力供給装置（ソース共振器）１０８の動作が開始されると、プロセッサ３０７は、コイル１０９または電力供給装置１０８に備えられた無線通信手段によってバッテリ３１３を無線充電するとの通知信号をセンシング部３１４から受信する。プロセッサ３０７は、センシング部３１４の識別情報により、コイル動作モード選択部３０３がバッテリ３１３を無線充電する第２コイル動作モードを選択する制御信号を生成する。そして、プロセッサ３０７は、充電部３１０によって聴覚機器１０２のバッテリ３１３を充電するための第１バッテリ動作モードを選択するバッテリ動作モード選択部３１２を制御する。
【００３７】
センシング部３１４は、加速度センサまたはジャイロセンサによって聴覚機器１０２が一定時間の間横になっているか、または聴覚機器１０２が一定時間の間に動きがないか否かを判断する。聴覚機器１０２が一定時間の間横になっている場合、または一定時間の間に動きがない場合、センシング部３１４はバッテリ３１３を無線充電するとの通知信号をプロセッサ３０７に伝達する。プロセッサ３０７は、センシング部３１４の識別情報により、コイル動作モード選択部３０３が第２コイル動作モードを選択する制御信号を生成する。
【００３８】
図４は、本発明の更に他の実施形態による聴覚機器の細部構成を示す図である。
【００３９】
図４を参照すると、聴覚機器１０２は、マイク４０１、コイル４０２、モニタリング部４０３、コイル動作モード選択部４０４、通信経路選択部４０５、アナログＡＭＰ（増幅器）４０６、ＡＤＣ（Ａ／Ｄコンバータ）４０７、プロセッサ４０８、ＤＡＣ（Ｄ／Ａコンバータ）４０９、スピーカ４１０、充電部４１１、供給部４１２、バッテリ動作モード選択部４１３、及びバッテリ４１４を備える。ここで、コイル動作モード選択部４０４、通信経路選択部４０５、及びバッテリ動作モード選択部４１３は、切替え回路によって具現される。
【００４０】
コイル動作モード選択部４０４、通信経路選択部４０５、及びバッテリ動作モード選択部４１３は、図２を参照して説明したコイル動作モード選択部２０３、通信経路選択部２０４、及びバッテリ動作モード選択部２１２と同様に動作する。
【００４１】
モニタリング部４０３は、コイル４０２で生成される電流信号を増幅してコイル４０２で発生した電流信号が、無線通信端末１０１のスピーカ１０３の電流変化に応じて電磁誘導されたものか、無線通信端末１０１に備えられたコイルから伝達されたものか、または電力供給装置（ソース共振器）１０８のコイル１０９から伝達されたものか、を区分する。
【００４２】
一例として、モニタリング部４０３は、コイル４０２で生成される電流信号を、コイル動作モードを選択するための第１基準値ｔｈ１、通信経路を選択するための第２基準値ｔｈ２、及びバッテリ動作モードを選択するための第３基準値ｔｈ３と比較する。コイル動作モード選択部４０４は、電流信号と上記基準値のそれぞれとを比較した結果に基づいて動作モードを選択する。
【００４３】
コイル動作モード選択部４０４は、無線通信端末１０１と通信する第１コイル動作モードに対応する経路ＰＡＴＨ  Ａ、またはバッテリ４１４を無線充電するための第２コイル動作モードに対応する経路ＰＡＴＨ  Ｃを選択する。通信経路選択部４０５は、電磁誘導方式を用いて無線通信端末１０１の通話音を伝達する経路ＰＡＴＨ  Ａ、または電流信号と第２基準値ｔｈ２との間の比較結果に基づいて音響方式を用いて無線通信端末１０１の通話音を伝達する経路ＰＡＴＨ  Ｂを選択する。
【００４４】
バッテリ動作モード選択部４１３は、充電部４１１によってバッテリ４１４を充電する第１バッテリ動作モード、または電流信号と第３基準値ｔｈ３との間の比較結果に基づいてバッテリ４１４を放電させて供給部４１２に電力を供給する第２バッテリ動作モードを選択する。
【００４５】
図５は、本発明の一実施形態による電磁誘導方式の無線充電方式を説明するための図である。
【００４６】
図５を参照すると、電力供給装置５０１は、電源ソース５０３から電力を送信部５０４に伝達する。送信部５０４は、コイル５０５を用いて聴覚機器５０２のコイル５０６に電磁誘導方式により無線で伝達する。この場合、コイル５０５に流れる電流がコイル５０６にも同様に流れる。
【００４７】
電磁誘導方式によりコイル５０６に伝達された交流電流は、聴覚機器５０２の受信部５０７を経て整流部５０８に伝達される。整流部５０８は交流電流を整流し、整流された電流はＤＣ（直流）変換部５０９を経てバッテリ５１０に供給される。すなわち、バッテリ５１０は無線電力伝送方式により充電される。
【００４８】
図５には示していないが、コイル５０６は、無線充電機能を行うコイル動作モードに切替えられることを前提とする。図５に示す電力供給装置５０１は図１の無線通信端末１０１または電力供給装置（ソース共振器）１０８に対応する。
【００４９】
図６は、本発明の一実施形態による共振方式の無線充電方式を説明するための図である。
【００５０】
コイル動作モード選択部６０３は、コイル６０２が無線充電機能を行うようにコイル動作モードを選択する。これにより、コイル６０２には共振方式により電流が発生する。
【００５１】
マッチング部６０４は、共振方式によってコイル６０２に電流が流れるようにインピーダンスマッチングを行う。マッチング部６０４は、共振周波数に応じてコイル６０２の大きさと巻回された回数の関数に基づいたインダクタンスとキャパシタンスの大きさを調整する。コイル６０２に流れる交流電流は整流部６０５で整流され、整流された交流電流はＤＣ変換部（直流）６０６を経てバッテリ６０７に供給される。すなわち、バッテリ６０７は無線電力伝送方式により充電部６０１を介して充電される。
【００５２】
図７は、本発明の一実施形態による聴覚機器の動作を示すフローチャートである。
【００５３】
ステップＳ７０１において、聴覚機器はコイル動作モードを選択する。ここで、聴覚機器は、バッテリを充電するコイル動作モード、または無線通信端末の通話音を伝達するコイル動作モードを選択する。
【００５４】
聴覚機器がバッテリを充電するコイル動作モードを選択した場合、ステップＳ７０２において聴覚機器はバッテリ動作モードを選択する。
【００５５】
次に、聴覚機器がバッテリを放電させて聴覚機器に電力を供給するバッテリ動作モードを選択した場合、ステップＳ７０４において聴覚機器はバッテリを放電させる。また、聴覚機器がバッテリを充電するバッテリ動作モードを選択した場合、ステップＳ７０５において聴覚機器はバッテリを充電する。
【００５６】
一方、聴覚機器が無線通信端末の通話音を伝達するコイル動作モードを選択した場合、ステップＳ７０３で聴覚機器は通信経路を選択する。聴覚機器が電磁誘導通信を選択する場合、ステップＳ７０６において聴覚機器は無線通信端末のスピーカの電流変化信号を受信する。
【００５７】
ステップＳ７０８において聴覚機器は電流変化信号をデジタル変換し、ステップＳ７０９において電流変化信号を増幅するなどのプロセシングを行う。ステップＳ７１０において、聴覚機器はプロセシングされた電流変化信号をアナログ変換した後、ステップＳ７１１においてスピーカを介して出力する。
【００５８】
聴覚機器が音声通信を選択した場合、ステップＳ７０７において聴覚機器は無線通信端末のスピーカで発生した音声信号を受信する。ステップＳ７１２において聴覚機器は音声信号をデジタル変換し、ステップＳ７１３において音声信号を増幅するなどのプロセシングを行う。ステップＳ７１４において、聴覚機器はプロセシングされた音声信号をアナログ変換した後、ステップＳ７１５においてスピーカを介して出力する。
【００５９】
本実施形態による動作方法は、多様なコンピュータ手段によって実行することができるプログラム命令の形態で実現され得、このようなプログラム命令は、コンピュータ読み取り可能な記録媒体に記録され得る。コンピュータ読み取り可能な記録媒体は、プログラム命令、データファイル、データ構造などを単独または組み合わせたものを含み得る。記録媒体に記録されるプログラム命令は、本発明のために特別に設計して構成されたものでもよく、コンピュータソフトウェア分野の技術を有する当業者にとって公知の使用可能なものであってもよい。
【００６０】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【００６１】
１０１    無線通信端末
１０２、５０２    聴覚機器
１０３、１０６、２０９、３０９、４１０    スピーカ
１０４、２０１、３０１、４０１    マイク
１０５、１０９、２０２、３０２、４０２、５０５、５０６、６０２    コイル
１０７、２１３、３１３、４１４、５１０、６０７    バッテリ
１０８、５０１    電力供給装置（ソース共振器）
２０３、３０３、４０４、６０３    コイル動作モード選択部
２０４、３０４、４０５    通信経路選択部
２０５、３０５、４０６    アナログＡＭＰ（増幅器）
２０６、３０６、４０７    ＡＤＣ（Ａ／Ｄコンバータ）
２０７、３０７、４０８    プロセッサ
２０８、３０８、４０９    ＤＡＣ（Ｄ／Ａコンバータ）
２１０、３１０、４１１、６０１    充電部
２１１、３１１、４１２    供給部
２１２、３１２、４１３    バッテリ動作モード選択部
３１４    センシング部
４０３    モニタリング部
５０３    電源ソース
５０４    送信部
５０７    受信部
５０８、６０５    整流部
５０９、６０６    ＤＣ（直流）変換部
６０４    マッチング部
【図１】
2014212683.tif 000003
【図２】
2014212683.tif 000004
【図３】
2014212683.tif 000005
【図４】
2014212683.tif 000006
【図５】
2014212683.tif 000007
【図６】
2014212683.tif 000008
【図７】
2014212683.tif 000009